(57)【特許請求の範囲】
【請求項１】
四角枠と、この四角枠内に配置されたマットレス本体とを具備したマットレスにおいて、上記マットレス本体が、マット基体の表面に突設された多数のキノコ状突起を有し、前記突起の各頭部を、互いに当接するか又は５ｍｍ以下の極小隙間を有するように形成すると共に、上記マット基体のキノコ状突起非突設箇所に貫通孔が形成されたものであり、上記四角枠が上記マットレス本体より硬質に形成され、かつ上記四角枠及びマットレス本体の全体が撥水透湿性材料シートからなるマットレスカバーで覆われたものであることを特徴とするマットレス。
【請求項２】
撥水透湿性材料シートがマイクロポーラスポリオレフィンフィルムである請求項１記載のマットレス。
【請求項３】
撥水透湿性材料シートが、２３℃及び５０％の相対湿度で２４時間当たり少なくても１０００ｇ透湿度を有するマイクロポーラスポリオレフィンフィルムである請求項２記載のマットレス。
【請求項４】
上記マットレスカバーが、マットレス本体を内部に配置した四角枠の表面部を被覆可能な表面カバーシートの幅方向両側縁部にそれぞれ側面カバーシートを一体に連設し、かつこれら両側面カバーシートの各側縁部にそれぞれ裏面カバーシートを一体に連設すると共に、上記表面カバーシートの長さ方向両端縁部にそれぞれ端面カバーシートを一体に連設し、かつこれら両端面カバーシートの各端縁部にそれぞれ裏面カバー舌片を一体に連設し、上記両裏面カバーシートにこれらシートを互いに連結する連結手段を設けたものである請求項１，２又は３記載のマットレス。
【請求項５】
マットレス本体の厚さが７０〜１６０ｍｍである請求項１乃至４のいずれか１項記載のマットレス。
【請求項６】
床擦れ予防用である請求項１乃至５のいずれか１項記載のマットレス。
【発明の詳細な説明】
【０００１】
【発明の属する技術分野】
本発明は、薄型化に好適に対応し得、通気性に優れると共に、撥水性に優れ、寝返りが容易で寝心地がよく、ギャッチアップの際のずれが抑制され、特に床擦れ予防用として好適に使用し得るマットレスに関する。
【０００２】
【従来の技術及び発明が解決しようとする課題】
従来より、床擦れ予防マットレスについては数多くの提案がある。多くの場合、床擦れ予防マットレスは断面山形の突起を有する、いわゆるプロファイル加工を施した軟質ポリウレタンフォームの基体を具備している。プロファイル加工は、突起で圧縮面の実面積を減少させ、低荷重での変形を大きくし、フォーム基体特有の圧迫感を改良するのに有効である。
【０００３】
しかしながら、このような基体は、通気性、撥水性に欠ける上、減圧性能を改良するために基体の厚みを増やしたり、柔らかい材質にすると、コスト高を招いたり、寝心地感が犠牲になるという問題を有する。
【０００４】
一方、従来のポリウレタンフォームを利用した床擦れ予防マットレスは、その端に腰をかけると、マットが過度につぶれて安定性に欠けることがあったり、ギャッチアップするとマットにかけていたカバーが剥がれ、使用者に違和感を与えたり、位置ずれの原因になる場合がある。また、カバー脱着にも時間がかかるという問題が生じている。
【０００５】
このようなマットレスの問題は、特に、需要が増加傾向にあるギャッチアップタイプのベットに顕著に表れ、特に介護用ベットにおいては、被介護者の使用感を損なうだけでなく、介護者の取扱い性も低下させている。
なお、ここでいうギャッチアップ（ヘッドアップともいう）は、ベット使用者の頭部側のマットレス部分を起こして、使用者の上半身を起こすことをいう。
ギャッチアップタイプのベットとは、通常、機械的／電気的に自動、あるいは手動でギャッチアップすることができる機能を備えたベットのことをいう。
【０００６】
また、従来、マットレスを被覆するマットレスカバーとして、防水、抗菌、消臭といった性能を与えたカバーが多くあるが、多くはエタノール等で簡易消毒するだけである。しかし、使用を重ねるごとに汚れが染み込んでいったり、カバーが持つ性能が劣化する恐れもあり決して清潔とはいえない。口を綴じてしまっているカバーは洗濯できず、ファスナー等で取り外せるものでも、一人で交換するには余分なスペースが必要になったり、時間がかかることが多くあった。
【０００７】
本発明は、上記事情に鑑みなされたもので、薄型化に好適に対応し得、通気性に優れている上、撥水性に優れ、寝返りが容易で寝心地がよく、ギャッチアップの際のずれが抑制され、特にギャッチアップタイプベットのマットレスとして好適に使用し得るマットレスを提供することを目的とする。
【０００８】
【課題を解決するための手段】
本発明は、上記目的を達成するため、四角枠と、この四角枠内に配置されたマットレス本体とを具備したマットレスにおいて、上記マットレス本体が、マット基体の表面に突設された多数のキノコ状突起を有すると共に、上記マット基体のキノコ状突起非突設箇所に貫通孔が形成されたものであり、上記四角枠が上記マットレス本体より硬質に形成され、かつ上記四角枠及びマットレス本体の全体が撥水透湿性材料シートからなるマットレスカバーで覆われたものであることを特徴とするマットレスを提供する。
【０００９】
上記マットレスは、マット基体に多数の貫通孔が形成されていると共に、キノコ状突起の頭部間は通気可能で、しかも、このマットレス本体が枠体と共に撥水透湿性材料シートで覆われているため、通気性に優れ、透湿性であるが、撥水性で水を通さず、むれにくく、また薄型化に対応し得、寝返りが容易で寝心地がよく、ギャッチアップタイプの際のずれが抑制され、特に、介護用等のギャッチアップタイプベットのマットレスとして好適に使用し得る。この場合、撥水透湿性材料シートとしては、マイクロポーラスポリオレフィンシートが特に好ましく、撥水透湿性材料シートが、２３℃及び５０％相対湿度で２４時間当たり少なくても１０００ｇ透湿度を有するマイクロポーラスポリオレフィンフィルムであるものが更に好ましい。また、マットレス本体の厚さは、７０〜１６０ｍｍであることが望ましい。本発明のマットレスは、床擦れ予防用として優れた機能を有するものである。
【００１０】
また、この場合、上記マットレスカバーが、マットレス本体を内部に配置した四角枠の表面部を被覆可能な表面カバーシートの幅方向両側縁部にそれぞれ側面カバーシートを一体に連設し、かつこれら両側面カバーシートの各側縁部にそれぞれ裏面カバーシートを一体に連設すると共に、上記表面カバーシートの長さ方向両端縁部にそれぞれ端面カバーシートを一体に連設し、かつこれら両端面カバーシートの各端縁部にそれぞれ裏面カバー舌片を一体に連設し、上記両裏面カバーシートにこれらシートを互いに連結する連結手段を設けたものであることが好ましい。このようなマットレスカバーは、交換式なので清潔であり、マットへの装着、交換が短時間で一人でもできる上、交換時に余分なスペースを必要とせず、かつたたみやすく、小さくたたんで収納できる。更に、連結手段として紐等を用いれば安全であり、かつ裏面カバー舌片は互いに拘束せず、自由状態にすることができるため、ギャッチアップした際もカバーが張らず、肌に負担をかけないものである。
【００１１】
【発明の実施の形態】
以下、本発明について図を参照して詳しく説明する。
本発明のマットレスは、図１に示すように、軟質ポリウレタンフォーム系の公知の連続気泡性フォームよりなるマットレス本体１を有する。このマットレス本体１は、シート状のマット基体２とこのマット基体２の表面に一体に突設された多数の突起３とを備えたものである。上記突起３は、頸部４と頭部５とが一体に連続して形成され、頸部４より頭部５が大きく形成されたキノコ状を有し、これによって、スプリング機能を付与している。この場合、突起３は特殊裁断加工により形成することができ、各頭部５はそれぞれ平面四角形状（図２参照）で、互いに頭部５間が当接するか又は微小隙間６を有するように形成され、これにより各突起３間（各頭部５間）が離間し得ることで、通気可能に形成されて、通気が確保され、また体圧が効果的に分散されるようになっているが、頭部５の平面形状はこれに限定されるものではない。なお、上記頭部５間に微小隙間６は５ｍｍ以下、より好適には１〜５ｍｍ、特に１〜３ｍｍとすることができる。
【００１２】
上記マット基体２には、上記キノコ状突起３の非突設箇所２ａに多数の貫通孔７が形成されている。この貫通孔７は、例えば図２において縦横それぞれ２個、合計４個の突起３の中央部７ａにそれぞれ存するように形成することができるが、その貫通孔形成数及び形成位置は特に制限されず、要はマットレス本体が十分な通気性を与えるように形成すれば良い。なお、貫通孔７の孔径は特に制限されるものではないが、通常２〜２５ｍｍ、特に１５〜２０ｍｍであることが好ましく、これによりマットレス本体１の耐久性を保持して、更に優れた通気性を付与させることができる。
【００１３】
本発明のマットレスは、図３に示したように、四角枠体８内に上記マットレス本体１が配置、収容されたもので、四角枠体８の配設は使用者のベットへの乗り降り、介護者のケア等に有効な使用性を付与でき、特に介護用ベットに使用する場合に好適で、被介護者、介護者に対する優れた使用感を付与するものである。
【００１４】
このような四角枠体８は、公知の材料で製造されたものであればよく、例えば高密度、高硬度の硬質フォーム、例えば硬質ポリウレタンフォーム等を用いて形成し得る。この場合、四角枠体８の高さは２０〜１６５ｍｍ、特に６０〜１５０ｍｍに形成することが好適である。厚すぎると（高すぎると）使用者の体が当たり床擦れになる場合があり、薄すぎるとケア時や使用者が腰を掛けた時つぶれやすく、滑り落ちる場合がある。なお、枠体８の幅は２０〜１５０ｍｍ、特に３０〜１２０ｍｍに形成することができる。
【００１５】
四角枠体８の高さは上記マットレス本体１の位置に合わせて調整することが好ましく、マットレス本体１の突起の頭部５が四角枠体８の高さよりも若干高くなるように調節することが好ましく、このように調整することで、マットレスの端に腰掛けた場合でも安定性良く腰掛けることができる。
【００１６】
本発明のマットレスは、図３に示したように、上記マットレス本体１及び四角枠体８の全体を覆って撥水透湿性材料シート９からなるマットレスカバーを配置したもので、この撥水透湿性材料シート９からなるマットレスカバーで覆うことで薄型にしても耐水性、通気性に優れ、ギャッチアップの際のカバーや使用者の位置ズレが抑制できる。
【００１７】
撥水透湿性材料シートとしては、ポリプロピレン等のポリオレフィン、ポリウレタン、ポリテトラフルオロエチレンなどの多孔質シートが好適に用いられ、価格の安さからマイクロポーラスポリオレフィンシートが特に望ましく用いられる。撥水透湿性材料シートの厚さは、５〜１０００ミクロン、より好ましくは３０〜５００ミクロンであることが望ましい。
【００１８】
撥水透湿性材料シートとして、ポリオレフィンを使用した好ましい例には米国特許第４８２４７１８号及び第４９０２５５３号公報又は特公平７−１０５８０号公報に記載の不透過性、蒸気透過性、微孔質フィルムがあり、そのフィルムがＡＳＴＭ−Ｅ９６−Ｂ６６Ｂ記載の透湿度試験において、２３℃及び５０％の相対湿度で２４時間当たり少なくても１０００ｇ透湿度を有し、かつＡＳＴＭ  Ｄ−７２６−５８記載の透気度試験において、５〜１４００秒／５０ｍｌ、好ましくは５〜１０００秒／５０ｍｌ、最も好ましくは５００秒／５０ｍｌ未満のＧｕｒｌｅｙ値を有するマイクロポーラスポリオレフィンフィルムである。マイクロポーラスポリオレフィンフィルムの中でも特にマイクロポーラスポリプロピレンフィルムであることが望ましい。
【００１９】
商業上利用できるこのマイクロポーラスポリプロピレンとして、厚み３５ミクロンのポリプロピレン製マイクロポーラスフィルムと目付け４２ｇ／ｍ2のポリプロピレン製不織布をエンボスロールでラミネートした住友スリーエム（株）より販売されているスコッチプロポアファブリックＸＭＰ−６０５２シートがある。このシートは水分、油分を吸収しやすく、シーツとして適しており、通気性を持つが、撥水性が良く、失禁時のマットレス本体への汚れを防止することができ、大変効果的である。
【００２０】
本発明のマットレスは、更にその性能を向上させるため、マット基体２の下面に種々の異なる性質を有するシート乃至マット層を積層することもできる。図４はこれを示したもので、マット基体２の下に別種のポリウレタンフォームシート１０を積層し、圧力を効率よく分散させることができるようにしたものであり、更には、このポリウレタンフォームシート１１を積層して、圧力を更に分散させると共に、底突き感のより一層の防止を可能にすることができる。なお、これら積層するポリウレタンフォームとしては、汎用のポリウレタンフォームが好んで使用されるが、場合によっては、低反発性のポリウレタンフォームシートを用いることもできる。
【００２１】
ここで、図４の上記積層されたポリウレタンフォームは、上記マット基体２の貫通孔７と連通する貫通孔１２，１３がそれぞれ設けられ、これによりマット基体２の貫通孔７より侵入した空気が通気して、連通するこれら貫通孔１２，１３より効率よくスムーズに外部に排出されるものである。なお、上記貫通孔１２，１３の孔径は、上記マット基体２の貫通孔７と同様であることが好ましい。
【００２２】
本発明のマットレスは、上記ポリウレタンフォームシート１０，１１をも含むマットレス本体の厚さを通常７０〜１６０ｍｍ、好ましくは８０〜１２０ｍｍに形成することができ、特に厚さ１００ｍｍで最大体圧を３２ｍｍＨｇ以下にすることができる。従って、体圧分散効果が求められる従来からの床擦れ予防マットレスとして使用することにより、ベットの軽量化、簡易化に好適に対応することが可能になったものである。
【００２３】
また、マットレスカバーは、図５に示すような形状、構成とすることが好適である。即ち、図５のマットレスカバー２０は、マットレス本体を内部に配置した四角枠の表面部を被覆可能な形状、大きさに形成された長方形状の表面カバーシート２１の幅方向両側縁部に折目部をそれぞれ介して側面カバーシート２２，２２を一体に連設し、かつこれら両側面カバーシート２２，２２の各側縁部に折目部をそれぞれ介して裏面カバーシート２３，２３を一体に連設すると共に、上記表面カバーシート２１の長さ方向両端縁部に折目部を介してそれぞれ端面カバーシート２４，２４を一体に連設し、かつこれら両端面カバーシート２４，２４の各端縁部に折目部を介してそれぞれ裏面カバー舌片２５，２５を一体に連設し、また上記両裏面カバーシート２３，２３各側縁部に、これら両裏面カバーシート２３，２３を互いに結合する連結手段として複数の紐２６を取り付けたものである。このマットレスカバーに上記マットレス本体及び四角枠をくるんで使用するものであり、マットレスカバーは交換式なので清潔、マットへの装着・交換が短時間に一人で出来る、交換時余分なスペースを必要としない、たたみやすく、小さくたたんで収納できる、金具を使用せず安全、裏面カバー舌片がフリーとなっている為、ギャッチアップした際カバーが張らず肌に負担をかけない等の利点を与えるものである。
【００２４】
【発明の効果】
本発明のマットレスは、薄型化に好適に対応し得、通気性・耐水性に優れ、寝返りが容易で寝心地がよく、ギャッチアップの際のずれが抑制され、特に床擦れ予防用のマットレスとして好適に使用し得る。
【００２５】
【実施例】
以下、実施例及び比較例を示し、本発明を具体的に説明するが、本発明は、下記実施例に制限されるものではない。
【００２６】
［実施例、比較例］
図４に示される積層構造の厚さ１００ｍｍのマットレス本体１を作成した。
ここで、マット基体２とこれに突設された多数の突起３とからなるシート本体は、軟質ポリウレタンフォームで作成した。該シート本体の厚さ（突起＋マット基体）は６０ｍｍ、断面キノコ型形状の突起３の突起自体の高さは２０ｍｍを有するものとした。
【００２７】
また、上記シート本体（マット基体）に積層される汎用のポリウレタンフォームシート１０は、厚さ１０ｍｍとし、更に低反発性のポリウレタンフォームシート１１は、厚さ３０ｍｍとした。
【００２８】
上記マット基体２、上記両シート１０，１１には、それぞれ孔径２０ｍｍの貫通孔７，１２，１３を形成した。
【００２９】
次いで、上記積層構造のシートの外周部に四角枠体８をとりつけた。四角枠体８は高密度、高硬度の硬質ポリウレタンフォームで作成した。この場合、高さを上記マット基体２の突起３の頭部５が四角枠体８より上方にはみ出すように高さ９０ｍｍとした。また、幅は９３ｍｍとした。
【００３０】
上記マットレス本体１と四角枠体８の全体が覆われるように防水透湿性材料シートを被せ、マットレスを作成した。防水透湿性材料シートは、厚み３５ミクロンのポリプロピレン製マイクロポーラスフィルムと目付け４２ｇ／ｍ2のポリプロピレン製不織布をエンボスロールでラミネートした住友スリーエム（株）より販売されているスコッチプロポアファブリックＸＭＰ−６０５２シートを利用した。
以上のようにして得られた実施例のマットレスの高さは１００ｍｍであった。
【００３１】
比較例のマットレス本体として、減圧効果が良好と評価されているパラマウントベット社製マキシフロートマットレス（厚さ１６０ｍｍ）を使用し、実施例と同様に住友スリーエム（株）より販売されているスコッチプロポアファブリックＸＭＰ−６０５２シートで全面を覆った。以上のようにして得られた比較例のマットレスの厚さは１６０ｍｍであった。
【００３２】
実施例及び比較例のマットレスに、制菌加工を施した吸汗カバー（ポリエステル製）をかけ、▲１▼仰臥位、▲２▼仰臥位ひざ曲げ、▲３▼側臥位、▲４▼側臥位拘縮の４態様でそれぞれ使用したときの最大圧を測定し、体圧分散試験を行った。この評価は、それぞれ同一の４人の被験者により、条件を同様にして行った。結果を表１〜４に示す。
【００３３】
【表１】
0003900263.tif 000002
【００３４】
【表２】
0003900263.tif 000003
【００３５】
【表３】
0003900263.tif 000004
【００３６】
【表４】
0003900263.tif 000005
【００３７】
表１〜４の結果より、本発明のマットレスは、除圧効果が高いと評価されているマットレスと比較した場合、厚さ１６０ｍｍの比較品のマットレスにより得られる体圧分散効果が、本発明のマットレスは僅か１００ｍｍの厚さで得られた。
【００３８】
更に、積層品であり、上面に特殊形状を採用し、防水透湿性材料シートを具備した本発明のマットレスは、通気性に優れていることが認められ、床擦れの予防に必要な要件を備えたものであった。本発明のマットレスは、減圧性能、通気性、寝心地、ケア時の取扱い等、性能と機能を兼ね備えたマットレスであった。
【図面の簡単な説明】
【図１】本発明の一実施例に係るマットレス本体を示す断面図である。
【図２】同マットレス本体の拡大平面図である。
【図３】本発明の一実施例に係るマットレスを示す断面図である。
【図４】本発明の他の実施例に係るマットレス本体を示す断面図である。
【図５】本発明で用いるマットレスカバーの一例を示す展開図である。
【符号の説明】
１  マットレス本体
２  マット基体
３  突起
４  頸部
５  頭部
６  微小隙間
７  貫通孔
８  四角枠体
９  多孔質シート
【図１】
0003900263.tif 000006
【図２】
0003900263.tif 000007
【図３】
0003900263.tif 000008
【図４】
0003900263.tif 000009
【図５】
0003900263.tif 000010